【手続補正書】
【提出日】平成16年1月30日(2004.1.30)
【手続補正１】
【補正対象書類名】明細書
【補正対象項目名】特許請求の範囲
【補正方法】変更
【補正の内容】
【特許請求の範囲】
【請求項１】
第１の画像担持体上に形成されたトナー像を中間転写体に転写し、その後第２の画像担持体上に再度、転写して画像を得る画像形成方法において、少なくとも下記（Ａ）〜（Ｃ）から選ばれる何れかに該当する化合物が予め表面に塗布された中間転写体と、少なくとも下記（Ａ）〜（Ｃ）から選ばれる何れかに該当する化合物が表面に存在する現像剤とを使用することを特徴とする画像形成方法：
（Ａ）硝酸イオン吸着物質；
（Ｂ）層状構造を有する下記一般式（１）で示されるハイドロタルサイト類化合物：
一般式（１）：Ｍ2+(1-x)Ｍ3+X（ＯＨ）2Ａn-(X/n)・ｍＨ2Ｏ
（ただし、０＜Ｘ≦０．５、ｍ≧０、Ｍ2+；２価の金属イオン、Ｍ3+；３価の金属イオン、Ａn-；ｎ価のアニオン）；
（Ｃ）下記一般式（２）で示される化合物：
一般式（２）：Ｍ2+(1-x)Ｍ3+XＯ(1+X/2)
（ただし、０＜Ｘ≦０．５、Ｍ2+；２価の金属イオン、Ｍ3+；３価の金属イオン）。
【請求項２】
前記（Ｂ）又は前記（Ｃ）の化合物が予め表面に塗布された中間転写体と、前記（Ｂ）又は前記（Ｃ）の化合物が表面に存在する現像剤とを使用する請求項１記載の画像形成方法。
【請求項３】
前記（Ｂ）の化合物が予め表面に塗布された中間転写体と、前記（Ｂ）の化合物が表面に存在する現像剤とを使用する請求項２記載の画像形成方法。
【請求項４】
前記一般式（１）で示されるハイドロタルサイト類化合物が、Ａn-の共役酸ＨXＡn-(X/n)の酸解離定数ｐＫａが３以上であるｎ価のアニオンを含有する請求項１〜３のいずれかに記載の画像形成方法。
【請求項５】
前記ハイドロタルサイト類化合物が、下記一般式（３）で示される請求項４に記載の画像形成方法：
一般式（３）：Ｍｇ(1-X)ＡｌX（ＯＨ）2（ＣＯ3）X/2・ｍＨ2Ｏ
（ただし、０＜Ｘ≦０．５、ｍ≧０）。
【請求項６】
前記一般式（２）において、Ｍ2+がＭｇであり、かつＭ3+がＡｌである請求項１〜５のいずれかに記載の画像形成方法。
【請求項７】
中間転写体の表面に予め塗布する化合物、及び現像剤の表面に存在する化合物として、同一の元素を有する化合物を用いる請求項１〜６のいずれかに記載の画像形成方法。
【請求項８】
中間転写体の表面に予め塗布する化合物、及び現像剤の表面に存在する化合物として、同一の化合物を用いる請求項７に記載の画像形成方法。
【請求項９】
前記現像剤において、吸着物質の含有量が現像剤１００重量部に対して、０．０５〜５重量部である請求項１〜８のいずれかに記載の画像形成方法。
【請求項１０】
前記中間転写体が中間転写ベルト又は中間転写ドラムである請求項１〜９のいずれかに記載の画像形成方法。
【請求項１１】
転写残トナー帯電部材を用いて中間転写体上の転写残トナーを帯電させる工程と、その後該転写残トナーを感光体に転写する工程とを有する請求項１〜１０のいずれかに記載の画像形成方法。
【請求項１２】
第１の画像担持体上に形成された静電潜像を現像する、現像剤を有している現像器と、中間転写体と、を有し、該静電潜像を該現像器を用いて現像して得られたトナー像を中間転写体に転写し、その後第２の画像担持体上に再度、転写して画像を得る画像形成装置において、
該中間転写体が、少なくとも下記（Ａ）〜（Ｃ）から選ばれる何れかに該当する化合物が予め表面に塗布された中間転写体であり、
該現像剤が、少なくとも下記（Ａ）〜（Ｃ）から選ばれる何れかに該当する化合物が表面に存在している現像剤である、ことを特徴とする画像形成装置：
（Ａ）硝酸イオン吸着物質；
（Ｂ）層状構造を有する下記一般式（１）で示されるハイドロタルサイト類化合物：
一般式（１）：Ｍ2+(1-x)Ｍ3+X（ＯＨ）2Ａn-(X/n)・ｍＨ2Ｏ
（ただし、０＜Ｘ≦０．５、ｍ≧０、Ｍ2+；２価の金属イオン、Ｍ3+；３価の金属イオン、Ａn-；ｎ価のアニオン）；
（Ｃ）下記一般式（２）で示される化合物：
一般式（２）：Ｍ2+(1-x)Ｍ3+XＯ(1+X/2)
（ただし、０＜Ｘ≦０．５、Ｍ2+；２価の金属イオン、Ｍ3+；３価の金属イオン）。
【手続補正２】
【補正対象書類名】明細書
【補正対象項目名】００１５
【補正方法】変更
【補正の内容】
【００１５】
【課題を解決するための手段】
本発明に従って、第１の画像担持体上に形成されたトナー像を中間転写体に転写し、その後第２の画像担持体上に再度、転写して画像を得る画像形成方法において、少なくとも下記（Ａ）〜（Ｃ）から選ばれる何れかに該当する化合物が予め表面に塗布された中間転写体と、少なくとも下記（Ａ）〜（Ｃ）から選ばれる何れかに該当する化合物が表面に存在する現像剤とを使用することを特徴とする画像形成方法が提供される。
また本発明に従って、第１の画像担持体上に形成された静電潜像を現像する、現像剤を有している現像器と、中間転写体と、を有し、該静電潜像を該現像器を用いて現像して得られたトナー像を中間転写体に転写し、その後第２の画像担持体上に再度、転写して画像を得る画像形成装置において、
該中間転写体が、少なくとも下記（Ａ）〜（Ｃ）から選ばれる何れかに該当する化合物が予め表面に塗布された中間転写体であり、
該現像剤が、少なくとも下記（Ａ）〜（Ｃ）から選ばれる何れかに該当する化合物が表面に存在している現像剤である、ことを特徴とする画像形成装置が提供される。
【手続補正３】
【補正対象書類名】明細書
【補正対象項目名】００１６
【補正方法】変更
【補正の内容】
【００１６】
（Ａ）硝酸イオン吸着物質；
（Ｂ）層状構造を有する下記一般式（１）で示されるハイドロタルサイト類化合物：
一般式（１）：Ｍ2+(1-x)Ｍ3+X（ＯＨ）2Ａn-(X/n)・ｍＨ2Ｏ
（ただし、０＜Ｘ≦０．５、ｍ≧０、Ｍ2+；２価の金属イオン、Ｍ3+；３価の金属イオン、Ａn-；ｎ価のアニオン）；
（Ｃ）下記一般式（２）で示される化合物：
一般式（２）：Ｍ2+(1-x)Ｍ3+XＯ(1+X/2)
（ただし、０＜Ｘ≦０．５、Ｍ2+；２価の金属イオン、Ｍ3+；３価の金属イオン）。
【手続補正４】
【補正対象書類名】明細書
【補正対象項目名】００４２
【補正方法】変更
【補正の内容】
【００４２】
更に本出願人らは、一般式（１）において、Ａn-(X/n)として、その共役酸ＨXＡn-(X/n)の酸解離定数；ｐＫａが３以上となるアニオンを有する場合、飛散り防止効果が一層向上して好ましいことを見出した。このような化合物が好ましい理由は以下のように考えられる。すなわち、一般式（１）で示されるハイドロタルサイト類化合物は、アニオン交換の結果、酸；ＨXＡn-(X/n)を生成する。この時、生成した酸の酸解離定数；ｐＫａが３以上であると、ＨXＡn-(X/n)が解離する割合は非常に小さい。


【手続補正５】
【補正対象書類名】明細書
【補正対象項目名】００５１
【補正方法】変更
【補正の内容】
【００５１】
なお、一般式（１）においてＡn-は１種類のアニオンである必要はない。例えばＣＯ32-及びＣＨ3ＣＯＯ-の２種類であってもよいし、ｐＫａが３未満のアニオン、例えばＳＯ42-（Ｈ2ＳＯ4のｐＫａ１＜１）等が含有されていてもよい。Ｍ2+はＭｇ2+、Ｃａ2+、Ｚｎ2+、Ｎｉ2+等任意の２価の金属イオン、Ｍ3+はＡｌ3+、Ｆｅ3+、Ｃｏ3+等任意の３価の金属イオンであり、Ｍ2+及びＭ3+は、それぞれ２種類以上の金属からなっていてもよい。特に、Ｍ2+がＭｇ2+であり、かつＭ3+がＡｌ3+であるハイドロタルサイト類化合物は、工業的に安価に入手できること、毒性等の問題がないことから、特に好ましい。


【手続補正６】
【補正対象書類名】明細書
【補正対象項目名】００７０
【補正方法】変更
【補正の内容】
【００７０】
ここで前記（Ｂ）〜（Ｃ）の定義に該当する化合物の多くは、（Ａ）の定義に該当する。しかし、前記（Ｂ）〜（Ｃ）の定義に該当する化合物であっても、（Ａ）の定義に該当しない化合物が存在することも考えられる。それでもこのような化合物は、（Ｂ）〜（Ｃ）の定義に該当する限り、飛散り防止の防止効果を有すると考えられる。


【手続補正７】
【補正対象書類名】明細書
【補正対象項目名】００７１
【補正方法】変更
【補正の内容】
【００７１】
なぜならば、（Ａ）の定義に該当する化合物か否かは、本出願人らが考案した上記の測定方法による窒素量で判断しているに過ぎないので、（Ａ）の定義に該当していなくても、耐久時に発生する硝酸イオンを吸着して中間転写体の低抵抗化を防止することのできる化合物が存在することは十分予測され、（Ｂ）〜（Ｃ）の化合物はこれに該当すると考えられるからである。


【手続補正８】
【補正対象書類名】明細書
【補正対象項目名】００９３
【補正方法】変更
【補正の内容】
【００９３】
次に、本出願人らは現像剤の表面に存在させる吸着物質の量について検討を行なった。その結果、吸着物質の量は現像剤１００重量部に対して０．０５〜５重量部の範囲が好ましいことが分かった。０．０５重量部未満であると、飛散り悪化の防止効果が小さく、５重量部より多いと、かぶりが悪化した。吸着物質の好ましい量は現像剤１００重量部に対して０．１〜３重量部、より好ましい範囲は０．２〜２重量部である。なお、吸着物質は１種類である必要はなく、前記（Ａ）〜（Ｃ）の定義に従う化合物を複数用いてもよい。その場合、吸着物質の量は各々の合計が０．０５〜５重量部であればよい。


【手続補正９】
【補正対象書類名】明細書
【補正対象項目名】０１１８
【補正方法】変更
【補正の内容】
【０１１８】
本発明にかかる中間転写体を製造するにあたって、ゴム、エラストマー、樹脂等を用いることができる。例えばゴム、エラストマーとしては、イソプレンゴム、スチレン−ブタジエンゴム、ブタジエンゴム、ブチルゴム、エチレン−プロピレンゴム、エチレン−プロピレンターポリマー、クロロプレンゴム、クロロスルホン化ポリエチレン、塩素化ポリエチレン、アクリロニトリルブタジエンゴム、ウレタンゴム、シンジオタクチック１，２−ポリブタジエン、エピクロロヒドリンゴム、アクリルゴム、シリコーンゴム、フッ素ゴム、水素化ニトリルゴム、熱可塑性エラストマー（例えばポリスチレン系、ポリオレフィン系、ポリ塩化ビニル系、ポリウレタン系、ポリアミド系、ポリエステル系、フッ素樹脂系）等が使用できる。ただし、上記材料に限定されるものではない。


【手続補正１０】
【補正対象書類名】明細書
【補正対象項目名】０１２０
【補正方法】変更
【補正の内容】
【０１２０】
本発明にかかる中間転写体には、導電剤を添加することができる。導電剤はどのようなものを用いてもよいが、例えば、カーボン、アルミニウムやニッケル等の金属粉末、酸化チタン等の金属酸化物、４級アンモニウム塩含有ポリメタクリル酸メチル、ポリビニルアニリン、ポリビニルピロール、ポリジアセチレン、ポリエチレンイミン、含硼素高分子化合物及びポリピロール等の導電性高分子化合物等が挙げられる。ただし、上記導電剤に限定されるものではない。


【手続補正１１】
【補正対象書類名】明細書
【補正対象項目名】０１３０
【補正方法】変更
【補正の内容】
【０１３０】
以上説明してきたように、本発明は第１の画像担持体上に形成されたトナー像を中間転写体に転写し、その後第２の画像担持体上に再度、転写して画像を得る画像形成方法において、予め表面に少なくとも下記（Ａ）〜（Ｃ）から選ばれる何れかに該当する化合物が塗布された中間転写体と、少なくとも下記（Ａ）〜（Ｃ）から選ばれる何れかに該当する化合物が表面に存在する現像剤とを使用することを特徴とする画像形成方法である。
また本発明は、第１の画像担持体上に形成された静電潜像を現像する、現像剤を有している現像器と、中間転写体と、を有し、該静電潜像を該現像器を用いて現像して得られたトナー像を中間転写体に転写し、その後第２の画像担持体上に再度、転写して画像を得る画像形成装置において、
該中間転写体が、少なくとも下記（Ａ）〜（Ｃ）から選ばれる何れかに該当する化合物が予め表面に塗布された中間転写体であり、
該現像剤が、少なくとも下記（Ａ）〜（Ｃ）から選ばれる何れかに該当する化合物が表面に存在している現像剤である、ことを特徴とする画像形成装置である。
従って、繰り返し使用しても飛散りが極めて少ないという特徴を持つ。


【手続補正１２】
【補正対象書類名】明細書
【補正対象項目名】０１３１
【補正方法】変更
【補正の内容】
【０１３１】
（Ａ）硝酸イオン吸着物質；
（Ｂ）層状構造を有する下記一般式（１）で示されるハイドロタルサイト類化合物：
一般式（１）：Ｍ2+(1-x)Ｍ3+X（ＯＨ）2Ａn-(X/n)・ｍＨ2Ｏ
（ただし、０＜Ｘ≦０．５、ｍ≧０、Ｍ2+；２価の金属イオン、Ｍ3+；３価の金属イオン、Ａn-；ｎ価のアニオン）；
（Ｃ）下記一般式（２）で示される化合物：
一般式（２）：Ｍ2+(1-x)Ｍ3+XＯ(1+X/2)
（ただし、０＜Ｘ≦０．５、Ｍ2+；２価の金属イオン、Ｍ3+；３価の金属イオン）。
【手続補正１３】
【補正対象書類名】明細書
【補正対象項目名】０１４６
【補正方法】変更
【補正の内容】
【０１４６】
【表１】
1999327198.tif 000001
【手続補正１４】
【補正対象書類名】明細書
【補正対象項目名】０１５０
【補正方法】変更
【補正の内容】
【０１５０】
（実施例９）
ポリブチレンテレフタレート（ＰＢＴ）樹脂とカーボンブラックを混練し、インフレーション成形により厚さ１５０μｍ、体積抵抗率１×１０8Ωｃｍの継ぎ目のない樹脂ベルトを得た。次に、樹脂ベルトの表面に下記組成式を有する化合物を実施例１と同様の方法で塗布して、本実施例に用いる中間転写ベルトを得た。
中間転写ベルトに塗布した化合物  ：  Ｍｇ0.68Ａｌ0.32Ｏ1.16
【手続補正１５】
【補正対象書類名】明細書
【補正対象項目名】０１７０
【補正方法】変更
【補正の内容】
【０１７０】
【発明の効果】
以上説明してきたように、本発明は第１の画像坦持体上に形成されたトナー像を中間転写体に転写し、その後第２の画像担持体上に再度、転写して画像を得る画像形成方法において、少なくとも前記（Ａ）〜（Ｃ）から選ばれる何れかに該当する化合物が予め表面に塗布された中間転写体と、少なくとも前記（Ａ）〜（Ｃ）から選ばれる何れかに該当する化合物が表面に存在する現像剤とを使用することを特徴とする画像形成方法及びこれを用いた画像形成装置の提供が可能となった。


【手続補正１６】
【補正対象書類名】明細書
【補正対象項目名】０１７１
【補正方法】変更
【補正の内容】
【０１７１】
前記（Ａ）〜（Ｃ）から選ばれる何れかに該当する化合物は、中間転写体の表面に付着する硝酸を吸着する作用を有するので、本発明の画像形成方法及びこれを用いた画像形成装置は、耐久中に中間転写体の抵抗が低下することを防止でき、その結果繰り返し使用しても極めて飛散りの少ない画像を得ることができるという効果を有する。また、２次転写効率が向上して、中抜けやクリーニング不良のない画像を得ることができるという効果も有する。